(57)【要約】【課題】  施工時におけるパネル体の上下左右及び前後の調整が容易にでき且つ外観が良好な壁面構成体を提供する。【解決手段】  本発明の壁面構成体１において、弾性部材３１は外枠材１３の前壁１５とパネル枠材２１との間に配置してあり、ボルト３３は前側から外枠材１３のボルト挿通孔１９とパネル枠材２１のボルト挿通孔２５とに挿通してナット３５により後側で締結してあり、弾性部材３１はボルト・ナットの締結力調整により変形して外枠材１３とパネル枠材２１との間の寸法を調整自在であり、外枠５の境界壁１７とパネル体９との間には空間３９があり、外枠材１３のボルト挿通孔１９はパネル枠材２１のボルト挿通孔２５よりも大きい径を有してボルト３３の位置を上下左右に調整自在であり、前側シール部材２７と後側シール部材２９とによりパネル固定具の弾性部材３１とボルトの軸部３３ｂとナット３５とを遮蔽してある。【選択図】      図１
2005344323.tif 000002
【特許請求の範囲】
【請求項１】
上下左右の外枠材を枠組した外枠と、外枠が形成する開口部を塞ぐパネル体と、パネル体固定具とを備え、各外枠材は前壁と、前壁の後側面略中央部から後側に向けて突設する境界壁とを有し、少なくとも対向する２つの外枠材の前壁はボルト挿通孔を有し、パネル体は上下左右のパネル枠材を枠組したパネル枠と、パネル枠内に組み込んだパネルとを有し、パネル枠材は外枠材の前壁のボルト挿通孔に対向するボルト挿通孔と、外枠材の前壁の後側面に当接する前側シール部材と、外枠材の境界壁の見込面に当接する後側シール部材とを有し、パネル体固定具は弾性部材と、ボルトと、ナットであり、弾性部材は外枠材の前壁とパネル枠材との間に配置してあり、ボルトは前側から外枠材のボルト挿通孔とパネル枠材のボルト挿通孔とに挿通してナットにより後側で締結してあり、弾性部材はボルト・ナットの締結力調整により変形して外枠材とパネル枠材との間の寸法を調整自在であり、外枠の境界壁とパネル体との間には空間があり、外枠材のボルト挿通孔はパネル枠材のボルト挿通孔よりも大きい径を有してボルトの位置を上下左右に調整自在であり、前側シール部材と後側シール部材とによりパネル体固定具の弾性部材とボルトの軸部とナットとを遮蔽してあることを特徴とする壁面構成体。
【請求項２】
上下左右の外枠材を枠組した外枠と、外枠が形成する開口部を塞ぐパネル体と、パネル体固定具とを備え、各外枠材は前壁と、前壁の後側面略中央部から後側に向けて突設する境界壁とを有し、少なくとも対向する２つの外枠材の前壁はボルト挿通孔を有し、パネル体は上下左右のパネル枠材を枠組したパネル枠と、パネル枠内に組み込んだパネルとを有し、パネル枠材は外枠材の前壁のボルト挿通孔に対向するボルト挿通孔と、外枠材の前壁の後側面に当接する前側シール部材と、外枠材の境界壁の見込面に当接する後側シール部材とを有し、パネル体固定具は押し引きボルトと、ボルトと、ナットであり、押し引きボルトは後側から操作自在にパネル枠材に保持して軸部先端を外枠材の前壁の後側面に当接してあり前後方向の進退により外枠材とパネル枠材との間の寸法を調整自在であり、ボルトは前側から外枠材のボルト挿通孔とパネル枠材のボルト挿通孔とに挿通してナットにより後側で締結してあり、外枠の境界壁とパネル体との間には空間があり、外枠材のボルト挿通孔はパネル枠材のボルト挿通孔よりも大きい径を有してボルトの位置を上下左右に調整自在であり、前側シール部材と後側シール部材によりパネル体固定具の押し引きボルトと、ボルトの軸部とナットとを遮蔽してあることを特徴とする壁面構成体。
【請求項３】
上下左右の外枠材を枠組した外枠と、外枠が形成する開口部を塞ぐパネル体と、パネル体固定具とを備え、各外枠材は前壁と前壁の後側面略中央部から後側に向けて突設する境界壁とを有し、パネル体は上下左右のパネル枠材を枠組したパネル枠と、パネル枠内に組み込んだパネルとを有し、パネル枠材は外枠材の前壁の後側面に当接する前側シール部材と、外枠材の境界壁の見込面に当接する後側シール部材とを有すると共に少なくとも対向する２つのパネル枠材は外枠材の前壁と対向する位置に固着具挿通孔を有し、パネル体固定具は固着具と補助材とからなり、補助材はパネル枠材の固着具挿通孔に対向する固着具挿通孔を有し且つ境界壁の見込面に固定してあり、固着具は後側からパネル体の挿通孔と補助材の挿通孔とに挿通してパネル体を補助材に固定してあり、外枠とパネル体との間には空間があり、補助材及びパネル枠材の一方の挿通孔は他方の挿通孔よりも大きい径を有して固着具の位置を上下左右に調整自在であり、前側シール部材と後側シール部材によりパネル体固定具を遮蔽してあることを特徴とする壁面構成体。
【発明の詳細な説明】
【技術分野】
【０００１】
本発明は、公園等に設置するフェンスやトンネル内に設けた歩道用防護壁等の壁面構成体に関する。
【背景技術】
【０００２】
特許文献１には、前壁と前壁後側面略中央部から後側に向けて突設する境界壁とを有する外枠材の前壁にパネル体をボルトとナットで固定する壁面構成体が開示されている。この従来技術では、外枠材とパネル体とは、パネル体に埋め込んだナットに外枠材のボルト挿通孔に挿通したボルトで固定している。
【０００３】
【特許文献１】特開平７−１９７７００号公報
【発明の開示】
【発明が解決しようとする課題】
【０００４】
しかし、上述の従来技術では、外枠材に対するパネル体の固定位置が決められているから、施工時におけるパネル体の上下左右及び前後の調整が困難であり、施工し難いという問題がある。
一方、パネル体と外枠を固定するボルトの軸やナット等が露出すると外観を損なうおそれがあるから、できるだけボルトの軸やナット等が露出しないようにしたいという要求がある。
【０００５】
そこで、本発明は、施工時におけるパネル体の上下左右及び前後の調整が容易にでき且つ外観が良好な壁面構成体の提供を目的とする。
【課題を解決するための手段】
【０００６】
請求項１に記載の発明は、上下左右の外枠材を枠組した外枠と、外枠が形成する開口部を塞ぐパネル体と、パネル体固定具とを備え、各外枠材は前壁と、前壁の後側面略中央部から後側に向けて突設する境界壁とを有し、少なくとも対向する２つの外枠材の前壁はボルト挿通孔を有し、パネル体は上下左右のパネル枠材を枠組したパネル枠と、パネル枠内に組み込んだパネルとを有し、パネル枠材は外枠材の前壁のボルト挿通孔に対向するボルト挿通孔と、外枠材の前壁の後側面に当接する前側シール部材と、外枠材の境界壁の見込面に当接する後側シール部材とを有し、パネル体固定具は弾性部材と、ボルトと、ナットであり、弾性部材は外枠材の前壁とパネル枠材との間に配置してあり、ボルトは前側から外枠材のボルト挿通孔とパネル枠材のボルト挿通孔とに挿通してナットにより後側で締結してあり、弾性部材はボルト・ナットの締結力調整により変形して外枠材とパネル枠材との間の寸法を調整自在であり、外枠の境界壁とパネル体との間には空間があり、外枠材のボルト挿通孔はパネル枠材のボルト挿通孔よりも大きい径を有してボルトの位置を上下左右に調整自在であり、前側シール部材と後側シール部材とによりパネル体固定具の弾性部材とボルトの軸部とナットとを遮蔽してあることを特徴とする。
【０００７】
請求項２に記載の発明は、上下左右の外枠材を枠組した外枠と、外枠が形成する開口部を塞ぐパネル体と、パネル体固定具とを備え、各外枠材は前壁と、前壁の後側面略中央部から後側に向けて突設する境界壁とを有し、少なくとも対向する２つの外枠材の前壁はボルト挿通孔を有し、パネル体は上下左右のパネル枠材を枠組したパネル枠と、パネル枠内に組み込んだパネルとを有し、パネル枠材は外枠材の前壁のボルト挿通孔に対向するボルト挿通孔と、外枠材の前壁の後側面に当接する前側シール部材と、外枠材の境界壁の見込面に当接する後側シール部材とを有し、パネル体固定具は押し引きボルトと、ボルトと、ナットであり、押し引きボルトは後側から操作自在にパネル枠材に保持して軸部先端を外枠材の前壁の後側面に当接してあり前後方向の進退により外枠材とパネル枠材との間の寸法を調整自在であり、ボルトは前側から外枠材のボルト挿通孔とパネル枠材のボルト挿通孔とに挿通してナットにより後側で締結してあり、外枠の境界壁とパネル体との間には空間があり、外枠材のボルト挿通孔はパネル枠材のボルト挿通孔よりも大きい径を有してボルトの位置を上下左右に調整自在であり、前側シール部材と後側シール部材によりパネル体固定具の押し引きボルトと、ボルトの軸部とナットとを遮蔽してあることを特徴とする。
【０００８】
請求項３に記載の発明は、上下左右の外枠材を枠組した外枠と、外枠が形成する開口部を塞ぐパネル体と、パネル体固定具とを備え、各外枠材は前壁と前壁の後側面略中央部から後側に向けて突設する境界壁とを有し、パネル体は上下左右のパネル枠材を枠組したパネル枠と、パネル枠内に組み込んだパネルとを有し、パネル枠材は外枠材の前壁の後側面に当接する前側シール部材と、外枠材の境界壁の見込面に当接する後側シール部材とを有すると共に少なくとも対向する２つのパネル枠材は外枠材の前壁と対向する位置に固着具挿通孔を有し、パネル体固定具は固着具と補助材とからなり、補助材はパネル枠材の固着具挿通孔に対向する固着具挿通孔を有し且つ境界壁の見込面に固定してあり、固着具は後側からパネル体の挿通孔と補助材の挿通孔とに挿通してパネル体を補助材に固定してあり、外枠とパネル体との間には空間があり、補助材及びパネル枠材の一方の挿通孔は他方の挿通孔よりも大きい径を有して固着具の位置を上下左右に調整自在であり、前側シール部材と後側シール部材によりパネル体固定具を遮蔽してあることを特徴とする。
【発明の効果】
【０００９】
請求項１に記載の発明によれば、少なくとも対向する２つの外枠材のボルト挿通孔がパネル枠材のボルト挿通孔よりも大きい径を有してボルトの位置を上下左右に調整自在であるから、外枠に対するパネル体の固定位置を上下左右に調整自在である。更に、外枠材とパネル枠材との間には弾性部材を配置してボルトとナットの締結力を調整することにより弾性部材が変形して外枠材とパネル枠材との間の寸法を調整自在であるから、外枠に対するパネル体の固定位置を前後に調整自在である。したがって、施工時に、外枠に対するパネル体の上下左右及び前後の位置調整ができる。しかも、ボルト挿通孔に対するボルトの位置やボルトとナットの締め付けの調整によりパネル体の上下左右及び前後の位置調整が容易にできる。
前側シール部材と後側シール部材でパネル体固定具の弾性部材と、ボルトの軸と、ナットを遮蔽しているので、外観が良い。
【００１０】
請求項２に記載の発明によれば、少なくとも対向する２つの外枠材のボルト挿通孔がパネル枠材のボルト挿通孔よりも大きい径を有してボルトの位置を上下左右に調整自在であるから、外枠に対するパネル体の固定位置を上下左右に調整自在である。また、パネル体固定具の押し引きボルトを前後に進退することにより、外枠に対するパネル体の前後方向位置を調整自在である。したがって、施工時に、外枠に対するパネル体の上下左右及び前後の位置調整ができる。しかも、ボルト挿通孔に対するボルトの位置や押し引きボルトの締め付けを調整することによりによりパネル体の上下左右及び前後の位置調整が容易にできる。
前側シール部材と後側シール部材でパネル体固定具のボルトの軸と、ナットと、押し引きボルトとを遮蔽しているので、外観が良い。
【００１１】
請求項３に記載の発明によれば、少なくとも対向する２つのパネル枠材の固着具挿通孔と、補助材の固着具挿通孔とのいずれか一方の固着具挿通孔が他方の固着具挿通孔よりも大きい径を有して固着具の位置を上下左右に調整自在であるから、外枠に対するパネル体の固定位置を上下左右に調整自在である。また、境界壁に対する補助材の取付け位置を前後に調整することにより、外枠に対するパネル体の前後方向位置を調整自在である。したがって、施工時に、外枠に対するパネル体の上下左右及び前後の位置調整ができる。固着具挿通孔におけるパネル体固定具の固着具の位置や補助材の固定位置の調整により容易にできる。しかも、固着具挿通孔に対する固着具の位置や補助材の境界壁に対する固定位置を調整することによりパネル体の上下左右及び前後の位置調整が容易にできる。
前側シール部材と後側シール材でパネル体固定具を遮蔽しているので、外観が良い。
【発明を実施するための最良の形態】
【００１２】
以下に、添付図面を参照して本発明の実施の形態を説明する。まず、図１〜図４を参照して本発明の第１実施の形態を説明する。図１は図４（ｂ）のＡ―Ａ断面図であり、図２は図４（ｂ）のＢ−Ｂ縦断面図であり、図３は図４（ｂ）のＣ−Ｃ縦断面図であり、図４は第１実施の形態にかかる壁面構成体の図であり、（ａ）は縦断面図であり、（ｂ）は前側から見た正面図である。
本実施の形態にかかる壁面構成体１は、トンネル３内にある歩道と道路との間に設けた歩道用防護壁であり、外枠５と、外枠５が形成する開口部７を塞ぐパネル体９と、パネル体固定具１１とを備えている。
外枠５は互いに対向する上下の外枠材１３と、互いに対向する左右の外枠材１４を枠組して構成されており、各外枠材１３、１４は前側（道路側）に位置する前壁１５と、前壁１５の後側面略中央部から後側（歩道側）に向けて突設する境界壁１７とを有している。本実施の形態では、外枠材１３、１４は前壁１５と境界壁１７とで断面略Ｔ字状を成すＴ型鋼材を用いている。
上下の外枠材１３の前壁１５にはボルト挿通孔１９が長手方向に間隔をあけて複数形成されている。外枠材１３のボルト挿通孔１９は、後述するパネル枠材２１のボルト挿通孔２５よりも大きい径を有している。
パネル体９は、互いに対向する上下のパネル枠材２１と、互いに対向する左右のパネル枠材２０を枠組したパネル枠２２と、パネル枠２２内に組み込んだパネル２３とからなり、パネル２３は防火パネルである。
上下のパネル枠材２１は、ボルト挿通孔２５と、前側シール部材２７と、後側シール部材２９とを備えている。ボルト挿通孔２５はパネル枠材２１の長手方向に間隔を空けて複数形成されており且つ各ボルト挿通孔２５は各々外枠材１３の前壁１５と対向する位置に設けている。
左右のパネル枠材２０は、前側シール部材２７と、後側シール部材２９とを備えている。
前側シール部材２７は難燃性であり、パネル枠材２１、２０の前側面に設けてあり、先端がボルト挿通孔１９よりも外枠の内周側で前壁１５の後側面１５ａに当接して、前側シール部材２７で前壁１５とパネル枠２２との間の隙間を塞いでいる。
後側シール部材２９は各パネル枠材２１、２０の後側面に設けてあり、先端部２９ａがパネル体固定具１１よりも後側で外枠材１３、１４の境界壁１７の見込面１７ａに当接している。また、外枠５の境界壁１７とパネル体９との間には空間３９があり、空間３９の後側は後側シール部材２９により各パネル枠材２１、２０と境界壁１７との間が塞がれている。
パネル体固定具１１は、弾性部材３１と、ボルト３３と、ナット３５で構成されており、弾性部材３１は、外枠材１３の長手方向に間隔をおいて配置されたボルト３３、３３間に設けられている。弾性部材３１はパネル枠材２１と外枠材１３の前壁１５との間に配置してあり、一端３１ａがパネル枠材２１の前側面に固定してあり、中間部３１ｂが断面円弧状を成しており他端３１ｃが自由端になっている。弾性部材３１は外枠５に対してパネル体９を引き離す方向に付勢して外枠５に対するパネル体９の間隔を調整すると共にパネル体９のがたつきを防止するものである。弾性部材３１はパネル枠材２１と外枠材１３との間隔の変化に応じて変形し、外枠材１３の前壁１５とパネル枠材２１との間の寸法を調整するようになっている。
ボルト３３は、頭３３ａを前側に設けており、軸部３３ｂを前側から外枠材１３のボルト挿通孔１９とパネル枠材２１のボルト挿通孔２５とに挿通してナット３５により締結してある。ナット３５はパネル枠材２１に形成されたナット保持溝４１に保持されている。ボルト３３の軸部３３ｂは前壁１５のボルト挿通孔２５内を上下左右に調整自在である。尚、ボルト３３の頭３３ａと前壁１５との間には、外枠材１３のボルト挿通孔１９の径よりも大きな外径を有する座金３６が配置されている。
【００１３】
次に、本実施の形態にかかる壁面構成体１の施工、作用及び効果について説明する。上下外枠材１３と左右の外枠材１４を枠組して外枠５を形成し、パネル枠２２に前側シール部材２７と弾性部材３１を取り付けて、パネル体９を外枠５の開口部７に配置する。そして、前側から上下の外枠材１３のボルト挿通孔１９とパネル枠材２１のボルト挿通孔２５にボルト３３の軸部３３ｂを挿通してナット３５で仮止めし、外枠５に対するパネル体９の上下左右の位置を調整し、ボルト３３とナット３５との締結力を調整して外枠５に対するパネル体９の前後位置を調整する。
外枠５に体するパネル体９の上下左右の位置調整では、外枠材１３のボルト挿通孔１９はパネル枠材２１のボルト挿通孔２５よりも大きい径を有しているから、ボルト３３の軸部３３ｂはボルト挿通孔１９を上下左右に移動して調整する。
また、外枠５に対するパネル体９の前後位置調整では、ボルト３３とナット３５の締結力を調整することにより、外枠材１３とパネル枠材２１との間に配置した弾性部材３１が変形して外枠材１３とパネル枠材２１との間の寸法に適合するので、外枠５に対するパネル体９の前後位置を調整自在であり且つ外枠５に対するパネル体９の前後位置を調整しても外枠５に対するパネル体９のがたつきを防止できる。
即ち、本実施の形態によれば、外枠５に対するパネル体９の上下左右及び前後の位置調整ができると共に、上下左右及び前後の位置調整がボルト３３の位置やボルト３３とナット３５の締め付け調整により容易にできる。
前側シール部材２７と後側シール部材２９で、パネル体固定具１１の弾性部材３１と、ボルトの軸３３ｂと、ナット３５を遮蔽しているので、外観が良い。
前側シール部材２７は難燃性であり、パネル２３は防火パネルであるから、耐火性に優れる。
外枠５とパネル体９との固定はボルト３３とナット３５の締結で行うことができ、溶接を必要としないので、施工時における火災事故を防止できる。また、溶接作業が必要ないので、施工やパネル体９の交換やメンテナンスが容易である。
前側シール部材２７は、パネル体９に取り付けて先端を外枠５に当接する構成であるから、パネル体９の交換を後側のみの作業で行うことができる。
【００１４】
以下に、本発明の他の実施の形態を説明するが、以下に説明する実施の形態において、上述した第１実施の形態と同一の作用効果を奏する部分には同一符号を付することによりその部分の詳細な説明を省略し、以下に説明する実施の形態では第１実施の形態と主に異なる点について説明する。
図５を参照して第２実施の形態を説明する。図５は第２実施の形態にかかる壁面構成体を図４（ｂ）のＣ−Ｃと同じ位置で切断した断面図である。第２実施の形態では、第１実施の形態にかかるパネル体固定具１１において、上述した弾性部材３１に代えて押し引きボルト５１を用いている点が第１実施の形態と異なっており、その他は第１実施の形態と略同じである。
押し引きボルト５１は、頭５１ａが後側（歩道側）にあり、先端５１ｂを前壁１５の後側面１５ａに当接してあり、軸部５１ｃが上下のパネル枠材２１に保持されている。パネル枠材２１のナット保持溝４１に係止されたナット５５に軸部５１ｂを螺合してあり、頭５１ａの操作により前後に進退して、前壁１５に対してパネル枠２２の位置を前後に調整するようになっている。
【００１５】
この第２実施の形態によれば、第１実施の形態と同様に、外枠５に体するパネル体９の上下左右の位置調整では、上下の外枠材１３のボルト挿通孔１９はパネル枠材２１のボルト挿通孔２５よりも大きい径を有しており、ボルト３３の軸部３３ｂをボルト挿通孔１９に対して上下左右に移動して調整する。外枠５に体するパネル体９の前後の位置調整は、押し引きボルト５１の締め付け操作と、ボルト３３とナット３５との締結調整により行う。したがって、第２実施の形態においても、第１実施の形態と同様に、外枠５に対するパネル体９の上下左右及び前後の位置調整ができると共に、上下左右及び前後の位置調整がボルト３３の位置やボルト３３とナット３５の締め付け及び押し引きボルト５１の操作により容易にできる。
また、第１実施の形態と同様に前側シール部材２７と後側シール部材２９とによりパネル体固定具１１のボルト３３の軸３３ｂと、ナット３５と、押し引きボルト５１を遮蔽しているので、外観が良いと共に、前側シール部材２７は難燃性であり、パネル２３は防火パネルであるから、耐火性に優れる。
更に、第２実施の形態においても、外枠５とパネル体９との固定はボルト３３とナット３５の締結で行うことができ、溶接を必要としないので、施工時における火災事故を防止できる。また、溶接作業が必要ないので、施工やパネル体９の交換やメンテナンスが容易である。前側シール部材２７は、パネル体９に取り付けて先端を外枠５に当接する構成であるから、パネル体９の交換を後側のみの作業で行うことができる。
【００１６】
図６を参照して、第３実施の形態を説明する。図６は第３実施の形態にかかる壁面構成体を図４（ｂ）のＡ−Ａと同じ位置で切断した断面図である。この第３実施の形態では、パネル体固定具１１の構成及び上下の外枠材１３の前壁１５にボルト挿通孔がない点が第１実施の形態と主に異なっており、その他は第１実施の形態と略同じである。
第３実施の形態における上下のパネル枠材２１は上下の外枠材１３の前壁１５と対向する位置に設けた固着具挿通孔６１を有しており、パネル体固定具１１は固着具６３と補助材６５とからなっている。補助材６５は境界壁１７の見込み面１７ａに固定してあり、固着具挿通孔６７が形成されており、補助材６５の固着具挿通孔６７はねじ孔である。パネル枠材２１の固着具挿通孔６１は補助材６５の固着具挿通孔６７よりも大きい径になっており固着具６３が挿通されている。
固着具６３はねじであり、後側からパネル枠材２１の固着具挿通孔６１に軸部６３ｂを挿通して補助材６５の固着具挿通孔６７にねじ螺合してパネル体を補助材６５に固定してある。尚、固着具６３の頭６３ａとパネル枠材２１との間には、固着具挿通孔６１の径よりも大きな外径を有する座金６６が配置されている。
【００１７】
この第３実施の形態によれば、上下の外枠材１３において、境界壁１７の見込面に固定する補助材６５の取付け位置を前後に調整して外枠５に対するパネル体９の前後の位置調整を行う。また、パネル枠材２１の固着具挿通孔６１に対する固着具６３の位置を上下左右に調整することにより、外枠５に対するパネル体９の上下左右の位置調整を行う。したがって、第３実施の形態においても、第１実施の形態と同様に、外枠５に対するパネル体９の上下左右及び前後の位置調整ができると共に、上下左右及び前後の位置調整が補助材の取付け位置や、固着具挿通孔６１に対する固着具６３の位置調整により容易にできる。
更に、本実施の形態によれば、外枠５に対するパネル体９の取付けは後側のみで行うことができ、施工しやすい。
第３実施の形態によれば、前側シール部材２７と後側シール部材２９とによりパネル体固定具１１の全部を遮蔽しているので外観が良いと共に、前側シール部材２７は難燃性であり、パネル２３は防火パネルであるから、耐火性に優れる。
また、第３実施の形態においても、前側シール部材２７は、パネル体９に取り付けて先端を外枠５に当接する構成であるから、パネル体９の交換を後側（歩道側）のみの作業で行うことができる。
【００１８】
本発明は、上述した実施の形態に限らず、本発明の要旨を逸脱しない範囲で種々変形可能である。
例えば、後側シール部材２９に難燃性部材を用いてもよい。また、パネル２３は防火パネルに限らず、前側シール部材２７も難燃性部材としなくてもよい。
弾性部材３１は板ばねに限らず、コイルばね等の線材で構成したものであってもよい。また、弾性部材３１が板ばねの場合には湾曲した形状に限らず断面くの字状であってもよく、その形状は限定されない。
外枠５に形成するボルト挿通孔１９を左右の外枠材１４に形成して左右の外枠材１４と左右のパネル枠材２０とをパネル体固定具１１で固定するものであってもよいし、上下左右の外枠材１３、１４にボルト挿通孔１９を形成し且つ上下左右の外枠材１３、１４と上下左右のパネル枠材２０、２１とを各々パネル体固定具１１で固定するものであってもよい。
第１実施の形態や第２実施の形態において、外枠材１３のボルト挿通孔１９、パネル枠材２１のボルト挿通孔２５、ボルト３３及びナット３５はそれぞれ外枠材１３とパネル枠材２１の長手方向に幾つ設けてもよい。また、弾性部材３１や押し引きボルト５１の数や設ける位置は限定されず、数はいくつでもよいし、位置は適宜変更自在である。
第３実施の形態において、固着具６３はボルトであってもよい。また、固着具６３をボルトとし且つ補助材６５の固着具挿通孔６７にねじを形成しないで、ナットで止めるものであってもよい。このように、固着具６３をボルトとしてナットで止める場合には、補助枠材６５の固着挿通孔６７をパネル枠材２１の固着具挿通孔６１よりも大きい径としても良い。更に、補助材６５は外枠材１３の長手方向に間隔を開けて固定し、固着具６３による外枠材１３とパネル枠材２１との固定位置にのみに設けるものであってもよい。
【図面の簡単な説明】
【００１９】
【図１】図４（ｂ）のＡ−Ａ断面図である。
【図２】図４（ｂ）のＢ−Ｂ縦断面図である。
【図３】図４（ｂ）のＣ−Ｃ縦断面図である。
【図４】本実施の第１実施の形態にかかる壁面構成体の図であり、（ａ）は縦断面図であり、（ｂ）は前側から見た正面図である。
【図５】第２実施の形態にかかる壁面構成体を図４（ｂ）のＣ−Ｃと同じ位置で切断した断面図である。
【図６】第３実施の形態にかかる壁面構成体を図４（ｂ）のＡ−Ａと同じ位置で切断した断面図である。
【符号の説明】
【００２０】
１      壁面構成体
５      外枠
７      開口部
９      パネル体
１１    パネル体固定具
１３    外枠材（上下の外枠材）
１４    外枠材（左右の外枠材）
１５    前壁
１７    境界壁
１７ａ  見込壁
１９    ボルト挿通孔
２０    パネル枠材（左右のパネル枠材）
２１    パネル枠材（上下のパネル枠材）
２２    パネル枠
２３    パネル
２５    ボルト挿通孔
２７    前側シール部材
２９    後側シール部材
３１    弾性部材
３３    ボルト
３５    ナット
３９    空間
５１    押し引きボルト
６１    固着具挿通孔
６３    固着具
６５    補助材
６７    固着具挿通孔
【図１】
2005344323.tif 000003
【図２】
2005344323.tif 000004
【図３】
2005344323.tif 000005
【図４】
2005344323.tif 000006
【図５】
2005344323.tif 000007
【図６】
2005344323.tif 000008